(57)【特許請求の範囲】
【請求項１】
紙、ボール紙、またはプラスチックの３次元構造体、特に、包装などを生成するためのブランク（１０）であって、前記ブランク（１０）を折り曲げた状態で前記３次元構造体の丸みを帯びた縁の領域を形成するために少なくとも１つの折り曲げ面（５０、５２）を含み、前記折り曲げ面（５０、５２）が、互いに平行に延びる２本の側面の折り曲げ線（６０、６２、６４、６６）を境界とし、
前記側面の折り曲げ線（６０、６２、６４、６６）のそれぞれが、前記折り曲げ面（５０、５２）の領域全体に沿って互いに平行に延び、前記側面の折り曲げ線（６０、６２、６４、６６）に対してある角度で延びる少なくとも１本の折罫線（６８、７０、７２）が、前記折り曲げ面（５０、５２）内に形成され、前記折罫線（６８、７０、７２）の両端が、前記折り曲げ面（５０、５２）の対応する、側面の折り曲げ線（６０、６２、６４、６６）に交差または隣接することを特徴とするブランク（１０）。
【請求項２】
請求項１に記載のブランク（１０）であって、
前記側面の折り曲げ線（６０、６２、６４、６６）および前記折罫線（６８、７０、７２）が、レーザエネルギーおよび／またはパンチングによって生成されることを特徴とするブランク（１０）。
【請求項３】
請求項１または２に記載のブランク（１０）であって、
少なくとも１つの前記折り曲げ面（５０）において、前記折罫線（７０、７２）が、互いに平行に延びる２本の側面の折り曲げ線（６０、６２）のうちの一方の端部から、他方の２つの端部の間の位置に延びることを特徴とするブランク（１０）。
【請求項４】
請求項１または２に記載のブランク（１０）であって、
少なくとも１つの前記折り曲げ面（５２）において、互いに対向する２つの内角をつなぐように１本の前記折罫線（６８）が延びていることを特徴とするブランク（１０）。
【請求項５】
請求項１から４のいずれか１項に記載のブランク（１０）であって、
前記折り曲げ面（５０、５２）が、前記少なくとも１本の折罫線（６８、７０、７２）によって少なくとも２つの部分領域（１０２、１０４、１０６、１０８、１１０）に分割され、前記部分領域（１０２、１０４、１０６、１０８、１１０）がそれぞれ三角形状に形成されることを特徴とするブランク（１０）。
【請求項６】
請求項５に記載のブランク（１０）であって、
さらなる折罫線（１２４）が少なくとも１つの部分領域（１０２、１０４、１０６、１０８、１１０）に形成されることを特徴とするブランク（１０）。
【請求項７】
請求項１から６のいずれか１項に記載のブランク（１０）であって、
前記折罫線（６８、７０、７２）が、一直線状の部分、波状に曲がりくねった部分、および階段状の部分のいずれかを含んで、または、これらのうちの２つ以上を組み合わせて形成されることを特徴とするブランク（１０）。
【請求項８】
請求項１から７のいずれか１項に記載のブランク（１０）であって、
前記折罫線（６８、７０、７２）が、前記側面の折り曲げ線（６０、６２、６４、６６）の間の非連続な折罫線として形成されることを特徴とするブランク（１０）。
【請求項９】
請求項１から８のいずれか１項に記載のブランク（１０）を折り曲げる、かつ／または接着することによって生成されることを特徴とする紙、ボール紙、またはプラスチックの３次元構造体。
【請求項１０】
請求項９に記載の３次元構造体であって、
前記３次元構造体が、包装、特に、たばこを収納するための包装であることを特徴とする３次元構造体。
【請求項１１】
品物を収納するための折り曲げ箱、特に、ボール紙、紙などの折り曲げ箱であって、
少なくとも１つの前壁（１２）、少なくとも１つの後壁（１６）、ならびに前記前壁（１２）と前記後壁（１６）とを接続するための少なくともそれぞれ１つの第１および第２の側壁（２６、３０、２８、３２）と、
前記折り曲げ箱の底側を閉鎖するための底構造体（９０）と、
前記折り曲げ箱のそれぞれ１つの丸みを帯びた縁の領域を形成するための複数の折り曲げ面（５０、５２、５４、５６、５８、５８’）と
を含み、
少なくとも１つの折り曲げ面（５０、５２）が、側面の折り曲げ線（６０、６２、６４、６６）を境界とし、前記側面の折り曲げ線（６０、６２、６４、６６）のそれぞれが、前記折り曲げ面（５０、５２）の領域全体に沿って互いに平行に延び、前記側面の折り曲げ線（６０、６２、６４、６６）に対してある角度で延びる少なくとも１本の折罫線（６８、７０、７２）が、前記折り曲げ面（５０、５２）内に形成され、前記折罫線（６８、７０、７２）の両端が、前記折り曲げ面（５０、５２）の対応する、側面の折り曲げ線（６０、６２、６４、６６）に交差または隣接することを特徴とする折り曲げ箱。
【請求項１２】
請求項１１に記載の折り曲げ箱であって、
少なくとも１つの前記折り曲げ面（５２）において、互いに対向する２つの内角をつなぐように１本の前記折罫線（６８）が延びていることを特徴とする折り曲げ箱。
【請求項１３】
請求項１１または１２に記載の折り曲げ箱であって、
前記折罫線（６８、７０、７２）が、前記側面の折り曲げ線（６０、６２、６４、６６）の間の非連続な折罫線として形成されることを特徴とする折り曲げ箱。
【請求項１４】
請求項１から８のいずれか１項に記載のブランク（１０）を製造するための方法であって、
前記ブランク（１０）の外輪郭および／または折り曲げ線（６０、６２、６４、６６、８２、８４、８６、８８、９０’、９２’、９４、９６、９８、１００）および／または切断線および／または前記ブランク（１０）の内輪郭および／または折罫線（６８、７０、７２、７４、７６、７８、８０）がレーザエネルギーによって生成されることを特徴とする方法。
【発明の詳細な説明】
【技術分野】
【０００１】
本発明は、紙、ボール紙、またはプラスチックの３次元構造体、特に、包装などを生成するためのブランクに関し、ブランクは、ブランクを折り曲げた状態で３次元構造体の丸みを帯びた縁の領域を形成するために少なくとも１つの折り曲げ面を含み、折り曲げ面は、互いに平行に延びる２本の側面の折り曲げ線を境界とする。さらに、本発明は、紙、ボール紙、またはプラスチックの３次元構造体、品物を収納するための折り曲げ箱、特に、ボール紙、紙などの折り曲げ箱、およびブランクを製造するための方法に関する。
【背景技術】
【０００２】
このようなブランク、３次元構造体、および折り曲げ箱は非常に多く知られている。中でも、これらのブランク、または３次元構造体および折り曲げ箱はそれぞれ、たばこ用などに広く行き渡っている包装形態の代表であるフリップ式パックである。したがって、ドイツ特許出願公開第４３１１５６８（Ａ１）号、欧州特許出願公開第２１４１０９０（Ａ１）号、ドイツ特許出願公開第１０１０６５４７（Ａ１）号、米国特許第６２７６６００（Ｂ１）号、およびドイツ特許第６００２８０７８（Ｔ２）号には、容器状の収納領域に蓋がヒンジ式につながり、本体が長手方向の軸に沿うプリズム状の形態の包装が記載されている。国際公開第２０１２／１２３１８９（Ａ１）号からは、丸みを帯びた縁の領域を有する折り曲げ箱が知られている。丸みを帯びた縁の領域は、これらの領域の複数の切れ目によって作られる。複数の個々の面は切れ目によって生成され、丸みを帯びた領域になるように全体的に折り曲げることができる。
【先行技術文献】
【特許文献】
【０００３】
【特許文献１】ドイツ特許出願公開第１０  ２００８  ０６１６６１（Ａ１）号
【特許文献２】国際公開第２０１２／１２３１８９（Ａ１）号
【発明の概要】
【発明が解決しようとする課題】
【０００４】
しかし、この知られている包装は、丸みを帯びた領域を形成するために複数の切れ目が必要となるという点で不利である。対応するパンチング工具の準備は非常に時間がかかり、それによって費用がかかる。切れ目線が複数必要であることにより、レーザエネルギーによって生成させることもまた比較的時間がかかり、エネルギーを多く要するものとなる。
【０００５】
したがって、簡単、迅速、および安価にそれぞれ製造し、実施することができる、紙、ボール紙、またはプラスチックの３次元構造体を生成するための一般的なブランク、対応する３次元構造体、紙、ボール紙、またはプラスチックの対応する折り曲げ箱、および前記ブランクを製造するための方法を提供することが本発明の目的である。
【課題を解決するための手段】
【０００６】
請求項１の特徴を有するブランク、請求項９の特徴を有する３次元構造体、請求項１１の特徴を有する折り曲げ箱、および請求項１４の特徴を有する方法は、これらの目的を解決するために使用される。本発明を都合よく発展させた有利な構成は、各従属請求項に特定される。ここで、ブランクの有利な構成は、本発明による３次元構造体および本発明による折り曲げ箱それぞれの有利な構成、ならびに本発明による方法の有利な構成として見なされ、またその逆も言える。
【０００７】
本発明の第１の態様は、紙、ボール紙、またはプラスチックの３次元構造体、特に、包装などを生成するためのブランクに関し、ブランクは、ブランクを折り曲げた状態で３次元構造体の丸みを帯びた縁の領域を形成するために少なくとも１つの折り曲げ面を含み、折り曲げ面は、互いに平行に延びる２本の側面の折り曲げ線を境界とする。本発明によれば、側面の折り曲げ線に対してある角度で延びる少なくとも１本の折罫線は、折り曲げ線内に形成される。驚くことに、このような折罫線によって、３次元構造体の丸みを帯びた領域を、それに応じてブランクを折り曲げた状態では、すでに生成することができることがわかる。それによって、この折罫線を構成するための対応するパンチングまたは折罫工具を準備するための時間の消費をかなり削減することができる。さらに、知られているブランクに比べると、本発明による折罫線を生成し、それによって、例示的な包装、特に、たばこの包装の丸みを帯びた領域を構成するために消費しなければならないレーザエネルギーはかなり少ない。例えば、知られているブランクは、折り曲げ面の側面の境界となる折り曲げ線に平行に延びる折り曲げ線が５から７本ある。折り曲げ面内に本発明による折罫線を構成することによって、折罫線の数はかなり削減することができる。したがって、これに対応するコスト削減の他に、製造速度もまた、従来のブランクに対して２５から７５％速くすることができる。ここで、丸みを帯びた縁の領域を生成するための折罫線は、切れ目線として、すなわち、ブランクまたはブランクの基材を完全に貫通した切れ目、または、ブランクまたはブランクの基材を完全には貫通しない線状の凹み、いわゆる「ハーフカット」として形成することができる。さらに、折罫線は、ブランク、あるいは折り曲げた状態のブランク、すなわち、このようにして生じた折り曲げ箱の内側および／または外側に配置することができる。ここで、折罫線および／または側面の折り曲げ線は、例えば、ブランクの内側または外側に形成される。しかしながら、異なる折罫線および／または側面の折り曲げ線を異なる側に、すなわち、ブランクの前側および／または後側に配置することができ、それによって、ブランクを折り曲げた状態の折り曲げ箱に特定の特徴的なパターンを付けることも考えられる。
【０００８】
本発明によるブランクのさらに有利な構成では、側面の折り曲げ線および折罫線は、レーザエネルギーおよび／またはパンチングによって生成される。ブランクを製造するためにレーザエネルギーを限定的、または少なくとも部分的に使用することによって、対応するブランクの要素は非常に正確かつ迅速に製造することができる。さらに、例えば、新しいパンチングまたはエンボス加工工具を作る必要なく、個々の要素の構成の変更を特に簡単かつ迅速に行うことができる。さらに、本発明によって、本発明による折罫線を生成するために、さほど強力でない、または遅いレーザも使用することができるという利点が生じ、それによって、ブランク製造にはかなりコスト的に有利となる。ブランクから生成される３次元構造体の丸みを帯びた縁の領域を形成するための知られているブランクに比べて必要な折罫線がかなり少ないことにより、製造および生成速度はさらにかなり速くなる。
【０００９】
本発明によるブランクのさらに有利な構成では、折り曲げ面内に形成された折罫線は、折り曲げ面の第１の端部および／または隅領域と、第１の端部および／または隅領域と対向する折り曲げ面の第２の端部および／または隅領域との間を延びる。しかしながら、折罫線は、折り曲げ面の第１の端部および／または隅領域と、第１の端部および／または隅領域と対向する第２の端部および／または隅領域から離れた領域との間を延びることもまた可能である。さらに、折罫線は、折り曲げ面の第１の端部および／または隅領域の外側、ならびに第１の端部および／または隅領域と対向する折り曲げ面の第２の端部および／または隅領域の外側の折り曲げ面内に形成することができる。本発明による折罫線の構成によって、３次元構造体の丸みを帯びた縁の領域の最終構成に対して、折り曲げ面内を折罫線が非常に異なって延びることも考えられる。それによって、対応する設計仕様もまた容易に満足することができる。
【００１０】
本発明によるブランクのさらに有利な構成では、折罫線の少なくとも一端は、対応する折り曲げ面の側面の折り曲げ線に交差する、または隣接する。ここでもまた、折り曲げ面内の折罫線の構成は、対応する製造および／または設計仕様を満足することができる。
【００１１】
本発明によるブランクのさらに有利な構成では、折り曲げ面は、少なくとも１本の折罫線によって少なくとも２つの部分領域に分割され、部分領域はそれぞれ三角形状に形成される。部分領域の三角形状によって、ブランクを折り曲げた状態で丸みが特に都合よく構成される。ここで、さらに、特にきれいな丸みを帯びた構造体をこれらの領域に形成できるように、さらなる折罫線を部分領域の少なくとも１つに形成することができる。
【００１２】
本発明によるブランクのさらに有利な構成では、折罫線は、一直線状に、折り曲げられて、波状に、曲がりくねって、階段状に、またはこれらの対応する組合せで形成される。さらに、折罫線は、側面の折り曲げ線の間の連続した、または非連続な折罫線として形成することができる。それによって、この場合も、複数の設計要求を都合よく満足することができる。
【００１３】
本発明の第２の態様は、上記のようなブランクを折り曲げる、かつ／または接着することによって生成される、紙、ボール紙、またはプラスチックの３次元構造体に関する。このように生成された３次元構造体の構成および利点の可能性は、上記の第１の発明の態様に従った本発明による上記のブランクの構成および利点の可能性から生じる。ここで、３次元構造体は、包装、特に、たばこを収納するための包装として構成することができる。
【００１４】
本発明の第３の態様は、品物を収納するための折り曲げ箱、特に、ボール紙、紙などの折り曲げ箱に関する。ここで、折り曲げ箱は、少なくとも１つの前壁、少なくとも１つの後壁、ならびに前壁と後壁とを接続するための少なくともそれぞれ１つの第１および第２の側壁と、折り曲げ箱の底側を閉鎖するための底構造体と、折り曲げ箱のそれぞれ１つの丸みを帯びた縁の領域を形成するための複数の折り曲げ面とを含む。ここで、本発明によれば、少なくとも１つの折り曲げ面は、側面の折り曲げ線を境界とし、側面の折り曲げ線に対してある角度で延びる少なくとも１本の折罫線は、折り曲げ面内に形成される。このような折り曲げ箱は、折り曲げ箱の丸みを帯びた縁の領域を構成するために、対応する折り曲げ面内それぞれに１本だけ、または少なくとも１本の折罫線があればよいので、知られている丸みを帯びた縁の領域を有する折り曲げ箱に比べてかなり安価に製造することができる。折罫線を生成するために、パンチング、折罫加工、およびエンボス加工によって機械的に生成する場合、およびレーザエネルギーを使用する場合の両方で、かなりの時間および費用の利点が生じる。
【００１５】
本発明による折り曲げ箱のさらに有利な構成では、折罫線の少なくとも一端は、対応する折り曲げ面の側面の折り曲げ線に交差する、または隣接する。さらに、折罫線は、側面の折り曲げ線の間の連続した、または非連続な折罫線として形成することができる。折り曲げ面内の折罫線のこれらの構成でもまた、折り曲げ箱の丸みを帯びた縁の領域を簡単かつ安価に生成することができる。さらに、折り曲げ箱のこれらの領域に対する非常に異なる設計要求に容易に合致することができる。さらに、折罫線は、折り曲げ箱の内側および／または外側に配置することができる。ここで、折罫線および／または側面の折り曲げ線のすべては、例えば、折り曲げ箱の内側または外側に形成される。しかしながら、異なる折罫線および／または側面の折り曲げ線を異なる側に、すなわち、折り曲げ箱の内側および／または後ろ側に配置することができ、それによって、折り曲げ箱に特定の特徴的なパターンを付けることも考えられる。
【００１６】
本発明のさらなる特徴および利点は、第１および第２の発明の態様の説明から明らかであり、第１および第２の発明の態様の有利な構成は、第３の発明の態様の有利な構成として見なされ、またその逆も言える。
【００１７】
本発明の第４の態様は、上記のようなブランクを製造するための方法に関する。ここで、ブランクの外輪郭および／または折り曲げ線および／または切断線および／またはブランクの内輪郭および／または折罫線は、本発明に従ってレーザエネルギーによって生成することができる。ブランクを製造するためにレーザエネルギーを限定的、または少なくとも部分的に使用することによって、対応するブランクの要素は非常に正確かつ迅速に製造することができる。さらに、例えば、新しいパンチングまたはエンボス加工工具を作る必要なく、個々の要素の構成の変更を特に簡単かつ迅速に行うことができる。
【００１８】
本発明のさらなる利点、特徴、および詳細は、以下の２つの実施形態の説明、および図面に基づいた説明から明らかである。この説明における上記の特徴および特徴の組合せ、ならびに、図面の説明および／または図面のみに示す下記の特徴および特徴の組合せは、本発明の範囲から逸脱せずに、それぞれ特定された組合せのみに使用することができるだけでなく、他の組合せ、または単独でも使用することができる。
【図面の簡単な説明】
【００１９】
【図１】第１の実施形態に従った本発明によるブランクの概略図である。
【図２】第２の実施形態に従った本発明によるブランクの概略図である。
【発明を実施するための形態】
【００２０】
図１は、ボール紙の３次元構造体を生成するためのブランク１０の概略図である。ここで、３次元構造体は包装、特に、折り曲げ箱である。ここで、ブランクは、ブランク１０を折り曲げた状態（図示せず）で、少なくとも１つの容器状の収納領域を形成するために、折り曲げ面５０、５２、５４、５６、および折り曲げ線８２、８４を介して接続された壁および底要素１２、１４、１６、２６、２８、３０、３２を含む。さらに、ブランク１０を折り曲げた状態（図示せず）で閉鎖蓋９２を形成するために、後壁１６は、折り曲げ線８６を介して第１の蓋壁２２に接続され、第１の蓋壁２２は、折り曲げ線８８を介して第２の蓋壁１８に接続され、第２の蓋壁１８は、第３の折り曲げ線９０を介して第３の蓋壁２０に接続されることは認識されよう。さらに、第１の蓋壁２２は、折り曲げ面５４、５６を介して蓋側壁３４、３６に接続される。第３の蓋壁２０は、折り曲げ縁５８、５８’を介してさらなる蓋側壁３８、４０に接続される。さらに、接着フラップ４６、４８は、折り曲げ線９４、９６を介して蓋側壁３４、３６に形成され、ブランク１０を折り曲げた状態では、第２の蓋壁１８の内側に接して接着される。第３の蓋壁２０はさらに、第２の蓋壁１８とは反対側に折り曲げ線９２’を有し、折り曲げ線９２’を介してさらなる接着フラップ２４に接続される。
【００２１】
折り曲げ面５０、５２は、側面の折り曲げ線６０、６２、６４、６６を境界とすることは認識されよう。ここで、２本の折罫線７０、７２は、折り曲げ面５０内に形成され、それぞれ、側面の折り曲げ線６０、６２に対してある角度で延びる。ここで、折罫線７０は、折り曲げ面５０の第１の端部および／または隅領域１２０と、第１の端部および／または隅領域１２０と対向する第２の端部および／または隅領域１２２から離れた領域との間を延びる。この領域は、側面の折り曲げ線６０上に位置する。ここで、折罫線７０は、折り曲げ線６０に交差する、または隣接する。対照的に、折り曲げ面５０に形成された第２の折罫線７２は、第２の端部および／または隅領域１２２から、第１の折罫線７０と側面の折り曲げ線６０との交点の方へ延び、対応する第１の折罫線７０の端に隣接する。この折罫線７０、７２の構成によって、折り曲げ面５０内に３つの部分領域１０６、１０８、１１０が生じる。これらの部分領域はそれぞれ三角形状に形成され、その結果、折り曲げられたブランク１０には丸みを帯びた縁の領域ができる。同じく前壁１２に隣接する折り曲げ面５２には、折罫線６８が１本だけ形成される。これは、折り曲げ面５２の第１の端部および／または隅領域１２０と、それに対して対向する折り曲げ面５２の第２の端部および／または隅領域１２２との間を延びる。この構成によって、折り曲げ面５２内に、これもまた三角形状に形成された２つの部分領域１０２、１０４が生じる。これらの三角形状の部分領域１０２、１０４によって、この場合もまた、ブランク１０を折り曲げた状態では、前壁１２と側壁２８との間に丸みを帯びた縁の領域ができる。
【００２２】
さらに、さらなる折り曲げ面５４、５６、５８、５８’は、これもまた、ブランク１０を折り曲げた状態では丸みを帯びた縁の領域となるが、対応する側面の折り曲げ線１１２、１１４、１１６、１１８に対して平行に延びる複数の折罫線７４、７６、７８、８０によって形成されることは認識されよう。このような折り曲げ面５４、５６、５８、５８’の構成は先行技術から知られている。折り曲げて丸みを帯びた面５４、５６、５８、５８’の構成はそれぞれ、折り曲げ面５０、５２の構成とはかなり異なることは認識されよう。
【００２３】
さらに、折罫線６８、７０、７２は、一直線状に形成され、側面の折り曲げ線６０、６２、６４、６６の間の連続した直線として形成されることは認識されよう。しかしながら、折罫線６８、７０、７２の構成の他の可能性もまた考えられる。
【００２４】
さらに、折り曲げ面５０、５２、５４、５６、５８、５８’は、それぞれの壁および底要素１２、１６、２２、２０と、ブランク１０を折り曲げた状態では接する側壁２６、２８、３０、３２、および蓋側壁３４、３６、３８、４０との間に丸みを帯びた折り曲げ領域をそれぞれ形成することは認識されよう。さらに、底要素１４および第２の蓋壁１８の隅は、ブランク１０を折り曲げた状態でこれらの２つの要素が折り曲げ面の形状に合うように丸みを帯びた形状とされる。
【００２５】
さらに、側壁３０、３２は、対応する折り曲げ線９８、１００を介してヒンジ式につながった接着フラップ４６、４８を有し、接着フラップ４６、４８は、ブランク１０を折り曲げた状態（図示せず）で底要素１４の内側面に接着されることは明らかとなろう。側壁３０、３２の接着フラップ４６、４８とは反対側の端では、それらは対応する切断線によって蓋側壁３４、３６からは分離されている。ここで、切断線は、後壁１６と第１の蓋壁２２との間に形成された折り曲げ線８６の各開始点まで延びる。接着フラップ４６、４８は、ブランク１０を折り曲げた状態では、底要素１４と協働して底構造体９０を形成するように働く。
【００２６】
図２は、ブランク１０の第２の実施形態の概略図である。この第２の構成の形状は、図１に示す第１の実施形態とほぼ同一であることは認識されよう。したがって、図の説明では、図１の説明を参照する。第１の実施形態とは対照的に、第２の実施形態によるブランク１０は、別の構成の折り曲げ面５０、５２を有する。折り曲げ面５０、５２は、これもまた、ブランク１０を折り曲げた状態では、丸みを帯びた縁の領域を形成するが、まず、側面の折り曲げ線６０、６２、６４、６６に対してある角度で折り曲げ面５０、５２内を延びる２つの折罫線７０、７２を有することは認識されよう。ここで、折罫線７０、７２は、側面の折り曲げ線６０、６４上に位置する点で交差する。この交点は折り曲げ面５０、５２の中央領域に配置される。この折罫線７０、７２の配置によって、この場合も、折り曲げ面５０、５２内に３つの部分領域１０６、１０８、１１０が生じる。ここで、部分領域１０６、１０８、１１０は三角形状に形成される。図１に示した実施形態とは対照的に、２つの部分領域１０６、１１０内にさらなる折罫線１２４が形成される。ここで、折罫線１２４は、側面の折り曲げ線６０、６２、６４、６６に対して平行に延びる。これらのさらなる折罫線１２４の構成によって、特に明確で、きれいな丸みを帯びた構造体が生じる。対照的に、さらなる部分領域１０８はさらなる折罫線を有せず、その結果、この実施形態もまた、知られている丸みを帯びた縁の領域を有するブランクに比べると、より安価で迅速に生成することができる。
【００２７】
３次元構造体および折り曲げ箱を生成するための記載のブランク１０はそれぞれ、通常はボール紙、紙、またはプラスチックで構成される。他の適切な材料もまた考えられる。ブランク１０は、パンチングおよび／またはレーザエネルギーによって製造することができる。他の適切な製造方法もまた考えられる。
【図１】
0006496426.tif 000002
【図２】
0006496426.tif 000003